(57)【特許請求の範囲】
【請求項１】
画像形成後に表裏が反転されずにそのまま排出される用紙を載置するストレート排紙部と、画像形成後に装置本体内の反転排紙路を通過することによって表裏が反転されて排出される用紙を載置する反転排紙部とを備えた画像形成装置の排紙装置において、
前記反転排紙路を、固定ガイドと、その固定ガイドの外側に所定の間隔を置いて配設され、用紙進行方向の後端部が前記反転排紙路の入り口付近に回動可能に支持された可動ガイドとによって構成し、
前記可動ガイドを回動可能に支持する支持部の外側に近接する前記装置本体の位置に、前記ストレート排紙部の排紙トレイの一端を回動可能に取り付けることにより、該排紙トレイの開閉空間内で前記可動ガイドを開閉可能とし、前記可動ガイドを開放位置まで開放させたときに該可動ガイドの開放側端部の位置が開放位置にある前記排紙トレイの開放側端部よりも前記支持部側にずれた位置になるように構成したことを特徴とする画像形成装置の排紙装置。
【発明の詳細な説明】
【０００１】
【発明の属する技術分野】
この発明は、画像形成後に表裏が反転されずにそのまま排出される用紙を載置するストレート排紙部と、画像形成後に反転排紙路を通過することによって表裏が反転されて排出される用紙を載置する反転排紙部とを備えた画像形成装置の排紙装置に関する。
【０００２】
【従来の技術】
従来より、画像形成後に表裏が反転されずにそのまま排出される用紙を排紙トレイ上に載置するストレート排紙部と、画像形成後に反転排紙路を通過することによって表裏が反転された用紙を排出トレイに載置する反転排紙部とを備えた画像形成装置がある。
【０００３】
このような画像形成装置の排紙装置では、画像形成後の用紙が反転排紙路を通過中にそれがジャムになった場合には、その反転排紙路はスイッチバック路を設けずに単に用紙を一方向に搬送しながら表裏反転させるようにしているものでは、その排紙路が一般的に円弧状に形成されているため、そのジャム処理が面倒であった。
そのため、このような反転排紙路は、例えばそれを構成している対のガイド板の一方を他方のガイド板に対して開放して、そのガイド板間の隙間を大きくすることによってジャム紙を取り出せるようにしたりしている。
【０００４】
【発明が解決しようとする課題】
しかしながら、このような対のガイド板で構成される反転排紙路を、装置本体内でそのガイド板を開いてガイド板間の隙間を広げようとしても、通常の場合において装置本体内は装置全体をコンパクト化するために多くの機器や部品等が大きな隙間を設けることなく配設されているので、そのガイド板間の隙間は必ずしも十分な広さにまで開けるようにするのは難しかった。
そのため、このような反転排紙路でジャムが起きた場合には、作業者はその僅かな作業空間でジャム処理を行なわなければならなかったので、その作業が面倒であった。
【０００５】
また、その反転排紙路の外側に位置する側のガイド板を、装置本体の側面の一部と共に開閉可能に装置本体に取り付け、それを共に開いたときに、そのガイド板が装置本体の側面から側部に大きく突出する位置まで開くようにすれば、反転排紙路の対のガイド板間の隙間を十分な広さにまで開くことができる。
【０００６】
しかしながら、この場合、画像形成後に表裏が反転されずにそのまま排出される用紙を載置するストレート排紙部が、反転排紙路から離れた位置で同様に装置本体の側面に開閉可能に設けられている画像形成装置の場合には、そのストレート排紙部と反転排紙路のガイド板のそれぞれの開放スペースを予め考慮して、装置本体の側部に空間を設けるようにしておかなければならなかったので、その分だけオフィス等において省スペースが図れないという問題点があった。
【０００７】
この発明は、上記の問題点に鑑みてなされたものであり、反転排紙路で用紙がジャムになった場合に、その用紙を容易に取り出すことができ、装置を設置する際にはその装置の側部にストレート排紙部と反転排紙路のガイド板のそれぞれについて開放スペースを必要としない画像形成装置の排紙装置を提供することを目的とする。
【０００８】
【課題を解決するための手段】
この発明は上記の目的を達成するため、上述したようなストレート排紙部と反転排紙部とを備えた画像形成装置の排紙装置において、上記反転排紙路を、固定ガイドと、その固定ガイドの外側に所定の間隔を置いて配設され、用紙進行方向の後端部が反転排紙路の入り口付近に回動可能に支持された可動ガイドとによって構成し、上記可動ガイドを回動可能に支持する支持部の外側に近接する装置本体の位置に、ストレート排紙部の排紙トレイの一端を回動可能に取り付けることにより、その排紙トレイの開閉空間内で可動ガイドを開閉可能とし、上記可動ガイドを開放位置まで開放させたときにその可動ガイドの開放側端部の位置が開放位置にある上記排紙トレイの開放側端部よりも上記支持部側にずれた位置になるように構成したものである。
【０００９】
このようにすれば、ストレート排紙部の排紙トレイの回動可能に支持される一端と、反転排紙路を構成する可動ガイドの支持部とが共に反転排紙路の入り口付近に近接するので、殆ど同一の空間を共用してそれらをそれぞれ開閉することができる。
したがって、それらが個々に離れた位置にあった場合のように、それぞれが開閉空間を必要とする場合に比べて設置スペースの有効利用が図れながら、反転排紙路で用紙がジャムになった場合にはストレート排紙部の排紙トレイと可動ガイドを共に開放側に回動させれば、そのジャム紙を簡単に取り出すことができる。
【００１０】
【発明の実施の形態】
以下、この発明の実施の形態を図面に基づいて説明する。
図１はこの発明の一実施形態例を説明するための画像形成装置を排紙装置のストレート排紙部の排紙トレイと反転排紙路の可動ガイドを共に開放した状態で示す概略構成図、図２は同じくその排紙トレイと可動ガイドを共に閉じた状態で示す概略構成図、図３は同じくその排紙トレイのみを開放した状態で示す概略構成図である。
【００１１】
この画像形成装置の排紙装置１は、複写機やプリンタ等の画像形成装置の排紙部に設けられるものであり、図３に示すように画像形成後に表裏が反転されずにそのまま排出される用紙Ｐｓ（紙面上の黒三角印は画像面を示している）を排紙トレイ１２上に載置するストレート排紙部３と、画像形成後に装置本体２内の反転排紙路５を通過することによって表裏が反転されて図１に示すように胴内排紙トレイ１６上に排出される用紙Ｐｔを載置する反転排紙部４とを備えている。
【００１２】
そして、その反転排紙路５を、装置本体２に固定された固定ガイド６と、その固定ガイド６の外側に、図３に示すように用紙Ｐのガイドに適した所定の間隔を置いて配設され、用紙進行方向の後端部が反転排紙路５の入り口７の付近にピン９により回動可能に支持された可動ガイド８とによって構成している。
【００１３】
その反転排紙路５を構成する対のガイド板である固定ガイド６と可動ガイド８は、そのガイド面が共に用紙進行方向の前端部と後端部でそれぞれ湾曲しており、それによって画像が形成された後の用紙Ｐが複数の搬送ローラ対１７により搬送されて裏側に反転される。
また、ストレート排紙部３は、可動ガイド８の支持部となるピン９の外側で、そのピン９に近接する装置本体２の位置に排紙トレイ１２を、その一端を回動可能にピン１３により取り付けている。
【００１４】
この排紙装置１を有する画像形成装置は、図１に示すように装置本体２の略中央に感光体ドラム等によって構成される作像部（簡略化して図示している）１０を有しており、そこに装置本体２の下部に設けられている給紙部１１から用紙Ｐが給紙されて、同図で上面側に画像が形成される。
その画像が形成された用紙Ｐは、反転排紙路５の入り口７の付近に配設されている排紙切換爪１４の切換位置によって、その排紙経路が図２に示すように反転排紙路５を経て反転排紙部４に至る排紙経路と、図３に示すようにストレート排紙部３に至る排紙経路とに切り換えられる。
【００１５】
このように、この画像形成装置の排紙装置１は、ストレート排紙部３の排紙トレイ１２のピン１３により回動可能に支持される一端と、反転排紙路５を構成する可動ガイド８の支持部となるピン９とを共に反転排紙路５の入り口７の付近に近接して設けるようにしたので、図１に示したように排紙トレイ１２の開閉空間内で可動ガイド８を開閉することができる。
したがって、それらが個々に離れた位置にあった場合には、それらが個々に開閉空間を必要とするため装置の設置スペースを多く必要とするが、この排紙装置１を備えた画像形成装置によれば、設置スペースの有効利用が図れる。
【００１６】
また、図１に示したように反転排紙路５で用紙Ｐがジャムになった場合には、図示のようにストレート排紙部３の排紙トレイ１２と可動ガイド８を共に開放側に回動させれば、それらは共に９０度近くまで大きく開くので、そのジャムとなった用紙Ｐを簡単に取り出すことができる。
【００１７】
そして、この排紙装置１は、ストレート排紙部３と反転排紙部４の２つの排紙部とからなるので、ストレート排紙を使用しない場合にはストレート排紙部３の排紙トレイ１２を図２に示したように閉じて使用するようにすれば、その排紙トレイ１２が装置本体２の側方に突出しなくなるので、装置全体をコンパクトにすることができる。
また、その排紙トレイ１２を図３に示したように開けば、画像形成後の用紙のストレート排紙による排紙トレイ１２への排出と、反転排紙による胴内排紙トレイ１６への排出とを選択的に行なうことができる。
【００１８】
【発明の効果】
以上説明したように、この発明による画像形成装置の排紙装置によれば、ストレート排紙部の排紙トレイの一端と、反転排紙路の可動ガイドの支持部とを共に反転排紙路の入り口付近に設けるようにしたので、殆ど同一の空間を共用してそれらをそれぞれ開閉することができる。
したがって、それらが個々に離れた位置にあった場合のように、それぞれが開閉空間を必要とする場合に比べて設置スペースの有効利用が図れながら、反転排紙路で用紙がジャムになった場合にはストレート排紙部の排紙トレイと可動ガイドを開放側に回動させれば、そのジャム紙を簡単に取り出すことができる。
【図面の簡単な説明】
【図１】この発明の一実施形態例を説明するための画像形成装置を排紙装置のストレート排紙部の排紙トレイと反転排紙路の可動ガイドを共に開放した状態で示す概略構成図である。
【図２】同じくその排紙トレイと可動ガイドを共に閉じた状態で示す概略構成図である。
【図３】同じくその排紙トレイのみを開放した状態で示す概略構成図である。
【符号の説明】
１：排紙装置                ２：装置本体
３：ストレート排紙部        ４：反転排紙部
５：反転排紙路              ６：固定ガイド
７：入り口                  ８：可動ガイド
９：ピン（支持部）          １２：排紙トレイ
１３：ピン（支持部）        Ｐ，Ｐｓ，Ｐｔ：用紙
【図１】
0003773988.tif 000002
【図２】
0003773988.tif 000003
【図３】
0003773988.tif 000004